(57)【要約】【課題】内部に貯留させる液状塗布材、すなわちバルク液につき、その粘性や材質の異なるものが複数種類存在し、また貯留部に貯留させる液状塗布材の貯留量も様々異なるものであったとしても、例えば大きさや形状など同じ規格の塗布具を用いることが出来、それぞれ液漏れが起こらないように構成し、芯材への貯留部からのバルク液の含浸が調整出来て、最後まで液切れしない塗布具を提供することを目的とする。【解決手段】本発明は、略円筒状をなすボディと、ボディの長手方向一端から先端部を有する芯状をなす塗布部材と、液状塗布材を貯留する貯留部と、貯留部側へ露出させて液状塗布材を塗布部材に含浸可能な構成とし、かつ塗布部材後端部を保持すると共に、液状塗布材を含浸出来るよう貯留部内に取り付けられた吸収体に接触状態としてなり、吸収体は液状塗布材の粘性や材質に応じて含浸量が調節できるよう長さや大きさが変更できることを特徴とする。【選択図】       図１
2018117668.tif 000002
【特許請求の範囲】
【請求項１】
略円筒状をなすボディと、該ボディ内に収納され、ボディの長手方向一端から描画可能に構成された先端部を有する芯状をなす塗布部材と、前記ボディ内に設けられ、前記塗布部材に含浸する液状塗布材を貯留する貯留部と、前記ボディ内に収納された前記塗布部材後端側につき、貯留部側へ露出させて前記液状塗布材を塗布部材に含浸可能な構成とし、かつ前記塗布部材後端部を保持すると共に、液状塗布材を含浸出来るよう前記貯留部内に取り付けられた吸収体に接触状態としてなり、
前記吸収体は、前記液状塗布材の粘性や材質に応じて前記含浸量が調節できるよう長さや大きさが変更できる、
ことを特徴とする塗布具。
【請求項２】
前記芯状をなす塗布部材は、繊維部材で構成され、前記液状塗布材が毛細管現象により含浸できるよう構成された、
ことを特徴とする請求項１記載の塗布具。
【請求項３】
前記塗布部材は、長尺の中継芯と該中継芯の先端に接続された塗布用ブラシとを有して構成された、
ことを特徴とする請求項１又は請求項２記載の塗布具。
【発明の詳細な説明】
【技術分野】
【０００１】
本発明は、例えばアイライナーやアイブローのような化粧用具、あるいは頭髪や眉毛などの部分白髪染め具など内部に貯留した液状塗布材を塗布部に浸潤させ、これを先端塗布部より塗布あるいは描画して使用する塗布具に関するものである。
【背景技術】
【０００２】
従来、アイライナーなど内部に液状塗布材を貯留し、この液状塗布材を繊維部材などからなる芯材により構成された塗布部材に吸収、浸潤させ、該塗布部材の先端塗布部によって塗布あるいは描画する塗布具が一般に知られている。
【０００３】
これら塗布具については、内部に貯留されている液状塗布材のバルク出量調整をするため、通常、前記芯材を覆う吸収体が設けられており、この吸収体により、芯材に送出される液状塗布材の出量を調整するものとしていた。
【０００４】
ここで、吸収体は一般的に外周面を蛇腹状の凹凸面に形成した樹脂成形品によって作製されており、その設計には多くの調整が必要で、また高額な金型費用が必要とされていた。
また、内部に液状塗布材を貯留する貯留部の領域も確定していて、この領域を変更できる構成にはなっていなかった。
【０００５】
ところで、前記液状塗布材は、使用の用途や態様によって、その液状塗布材の粘性や材質が異なっており、また前記貯留部に貯留させる液状塗布材の貯留量も様々異なるものである。
【０００６】
よって、上記の様に、複数種類存在する液状塗布材に対応させ、しかもその貯留量の異なる場合も含めて、同じ形状で同じ大きさの構造をなす塗布具や内部の吸収体を使用することは困難なこととされていた。
【０００７】
すなわち、長さなどを変更した樹脂成形品からなる吸収体を別々に作製することは、高額な金型費用を必要とし、また、前記貯留量を変更するには塗布具の大きさそのものを変更しなければならないとの課題があるからである。
【０００８】
尚、バルク液の粘度は、バルク液の種類によって異なっており、粘度の異なったバルク液にあわせて、液漏れが起こらないようそれぞれ塗布具の形状を変更することはきわめてコスト高になり、到底容認されるものではなかった。
【０００９】
そこで前記バルクの粘度が異なる場合であっても、同じ規格の塗布具を用いることが出来、しかもそれぞれ液漏れが起こらないように構成された塗布具が要請されていた。
【００１０】
さらに、一般的な塗布具は、塗布具内に貯留されたバルク液が少なくなると、芯材に送出される液状塗布材の出量が保持できなくなる傾向にあった。なぜなら塗布具の使用状態はそれを平行にして使用するか或いは少し後端側を下げて使用することが多く、その様な使用状態であると、芯材への貯留部からのバルク液の含浸がうまく調整出来ないからである。
【先行技術文献】
【特許文献】
【００１１】
【特許文献１】特開平１１−４８６７８号公報
【特許文献２】特開２０１３−１０２９１０号公報
【特許文献３】特開２００４−３４４８５８号公報
【発明の概要】
【発明が解決しようとする課題】
【００１２】
かくして、本発明による塗布具は、前記従来の課題を解決するために創案されたものであって、内部に貯留させる液状塗布材、すなわちバルク液につき、その粘性や材質の異なるものが複数種類存在し、また前記貯留部に貯留させる液状塗布材の貯留量も様々異なるものであったとしても、この複数種類存在するバルク液に対応でき、しかもそのバルク液の粘度が異なる場合であっても、例えば大きさや形状など同じ規格の塗布具を用いることが出来、それぞれ液漏れが起こらないように構成し、さらには塗布具を平行にして使用するか或いは少し後端側を下げて使用した状態が長くなったとしても、芯材への貯留部からのバルク液の含浸が調整出来て、たとえバルク液の量が少なくなってきたとしても最後まで液切れしない塗布具を提供することを目的とするものである。
【課題を解決するための手段】
【００１３】
本発明による塗布具は、
略円筒状をなすボディと、該ボディ内に収納され、ボディの長手方向一端から描画可能に構成された先端部を有する芯状をなす塗布部材と、前記ボディ内に設けられ、前記塗布部材に含浸する液状塗布材を貯留する貯留部と、前記ボディ内に収納された前記塗布部材後端側につき、貯留部側へ露出させて前記液状塗布材を塗布部材に含浸可能な構成とし、かつ前記塗布部材後端部を保持すると共に、液状塗布材を含浸出来るよう前記貯留部内に取り付けられた吸収体に接触状態としてなり、
前記吸収体は、前記液状塗布材の粘性や材質に応じて前記含浸量が調節できるよう長さや大きさが変更できる、
ことを特徴とし、
または、
前記芯状をなす塗布部材は、繊維部材で構成され、前記液状塗布材が毛細管現象により含浸できるよう構成された、
ことを特徴とし、
または、
前記塗布部材は、長尺の中継芯と該中継芯の先端に接続された塗布用ブラシとを有して構成された、
ことを特徴とするのである。
【発明の効果】
【００１４】
本発明による塗布具であれば、内部に貯留させる液状塗布材につき、その粘性や材質の異なるものが複数種類存在し、また前記貯留部に貯留させる液状塗布材の貯留量も様々異なるものであったとしても、この複数種類存在する液状塗布材に対応でき、しかもそのバルク液の粘度が異なる場合であっても、例えば大きさや形状につき同じ規格の塗布具を用いることが出来、それぞれ液漏れが起こらないよう構成し、さらには塗布具を平行にして使用するか或いは少し後端側を下げて使用した状態が長くなったとしても、芯材への貯留部からのバルク液の含浸が調整出来て、たとえバルク液の量が少なくなってきたとしても最後まで液切れしない塗布具を提供できるとの優れた効果を奏する。
【図面の簡単な説明】
【００１５】
【図１】本発明による塗布具の構成を説明する説明図（１）である。
【図２】他の実施例による塗布具の構成を説明する説明図（１）である。
【図３】他の実施例による塗布具の構成を説明する説明図（２）である。
【発明を実施するための形態】
【００１６】
以下、本発明を図に示す実施例に基づいて説明する。
【００１７】
図１は、本発明による塗布具１の構成を示す構成説明図である。本発明による塗布具１は、略円筒状をなすボディ２を有している。このボディ２の長さは一応規格で定められてあり、内部に貯留されている液状塗布材６の粘性や材質が異なっていても、同じ長さのボディ２で各種類の塗布具１を構成できる。そのため複数種類の塗布具１を形成してもそのボディ２につき同じものを使用できて最終的に製造コストを安価に出来る。
そして、当該ボディ２の先端には、キャップ３及びインナーキャップ４が装着される。
【００１８】
ここで、ボディ２内には、芯状をなす長尺の塗布部材５が保持されており、図から理解されるように、当該塗布部材５は、中継芯２１と該中継芯２１の先端に被嵌され、描画に使用される塗布用ブラシ１０とを有して構成される。
【００１９】
しかして、中継芯２１および塗布用ブラシ１０は、通常繊維部材で構成され、後述する液状塗布材６が毛細管現象などによって徐々に含浸できるように構成されている。
【００２０】
符号７は、吸収体を示す。図から理解出来る様に、当該吸収体７は、外周面に何らの凹凸形状も施さない円柱状に構成され、その軸方向中心部には、表面に設けられた開口２０から軸方向奥側に向かって設けられた長孔８が形成されている。
【００２１】
そして、この長孔８に前記塗布部材５の後端部２２が嵌まり込んで、塗布部材５と吸収体７とが接触出来るように構成され、両者が接続された状態となっている。
【００２２】
従来この吸収体７は、外周が蛇腹状の凹凸面として構成された樹脂成形品で作製されていたが、前記したように、前記樹脂成形品の金型費用が高額であり、そのため複数種類の形態をなす異なった吸収体７を作製すると塗布具自体のコストが高価となってしまうとの課題があった。
【００２３】
しかして、本発明の吸収体７は、例えば、内部に連続気泡を有するフォーム材などの含浸力を有する柔軟部材で構成されており、その大きさや長さを簡単に切断することにより形状が容易に変更することもできる。
【００２４】
符号９はノーズピースであり、前記芯状をなす塗布部材５の先端側を保持して、ボディ２の先端部に固着している。尚、前記塗布部材５の先端側には前述したように塗布ブラシ１０が中継芯２１に被嵌した状態で接続されて取り付けられており、該塗布用ブラシ１０により含浸した液状塗布材６を使って、描画あるいは塗布するように構成されている。このように塗布部材５を中継芯２１と塗布用ブラシ１０との別体部品を連結して構成しても構わないし、中継芯２１と塗布用ブラシ１０とを一体的に形成した塗布部材５でも構わない。
【００２５】
次に符号２３はシュノーケルを示す。該シュノーケル２３は、長尺の略筒状に形成されており、内部の軸方向に貫通する貫通空間２５に前述した中継芯２１が挿通出来るよう構成されている。
【００２６】
そして、図から理解されるように、中継芯２１の後端はシュノーケル２３より露出し、その後端部２２が、前述したように吸収体７の長孔８に嵌り込んで保持されている。
【００２７】
また、シュノーケル２３の外周面とボディ２の内周面との間の空間は、液状塗布材６の貯留部１２として構成されている。
ここで、シュノーケル２３の先端側は、前記貫通空間２５の形より大きな孔を有した膨出筒体２６として構成され、この膨出筒体２６内にはプラグ１１が嵌り込んでいる。
【００２８】
尚、符号１４はいわゆる第２吸収体とも称することが出来、中継芯２１が貫通する貫通孔を有すると共に、その一方側端面はプラグ１１の端面に接し、他方側端面はボディ2の係止突部２７に係止してボディ２内に装着されている。
【００２９】
ところで、前記シュノーケル２３の後端側における貫通空間２５−１は、中継芯２１の円柱状外周面にすべて接する円筒状には構成されておらず、例えば、６角形状或いは８角形状などの多角形状をなす貫通空間２５として構成され、中継芯２１の外周面と前記貫通空間２５とは例えば６点或いは８点で接するが、他の外周面位置では隙間が生じ、その隙間から液状塗布材６が中継芯２１の外周面から含浸できるよう構成されている。また、該隙間から空気が導入できるようになっていて、液状塗布材６が中継芯２１へスムーズに含浸出来るよう、即ち毛細管現象がスムーズに行えるよう構成されている。
【００３０】
すなわち、シュノーケル２３の中間部から先端側に位置する貫通空間２５−２の径は、中継芯２１の径より大きく形成されており、よってシュノーケル２３の中間部から先端側に位置する貫通空間２５−２には前記液状塗布材６が流入でき、かつ空気が流入できる隙間、すなわちクリアランス部２８として構成できるのである。
【００３１】
ところで、前述した吸収体７は、例えば尾栓１７の後端側に取り付けられており、当該尾栓１７はボディ２の後方開口からボディ２内に差し込まれて、前記吸収体７の長孔８に中継芯２１が嵌り込み、吸収体７と中継芯２１とが接触して接続するようになっており、また吸収体７は前記液状塗布材６が貯留される貯留部１２内に配置されることとなるので、該吸収体７には絶えず液状塗布材６が含浸される状態となる。そして、この吸収体７は常時中継芯２１に接触しているから、含浸した液状塗布材６を毛細管現象によって中継芯２１側へ供給出来るようになっているのである。したがって、貯留部１２内の液状塗布材６の量が少なくなり、塗布具１を平行にして使用するような状態が長くなって、貯留部１２の液状塗布材６が前記貯留部材１２に露出してある中継芯２１に届かなくなった場合でも、あらかじめ液状塗布材６を含浸した吸収体７から液状塗布材６が供給出来、もって塗布用ブラシ１０において液切れ状態を引き起こすことがないのである。その意味からすると前記吸収体７は液状塗布材６の予備タンクの役目を果たしていると言える。
【００３２】
ここで、本発明による塗布具の組み立てにつき説明すると、例えば、先端側に第２吸収体１４が取り付けられ、この第２吸収体１４の隣にプラグ１１が嵌着されたシュノーケル２３が被嵌された中継芯２１がボディ２の後方から差し込まれる。次いで、吸収体７を取り付けた尾栓１７をボディ２の後方から差し込んで、前記中継芯２１を所定の位置に装着させると共に、中継芯２１と吸収体７とを接触、接続させて尾栓１７を装着する。尚、前記尾栓１７を装着する前に、あらかじめ貯留部１２には液状塗布材６を充填しておく必要がある。
【００３３】
さらに、ボディ２の先端側から、中継芯２１の先端側にノーズピース９が装着された塗布用ブラシ１０を連結させる。そして、ボディ２の先端側にインナーキャップ４およびキャップ３を取り付け、これにより塗布具１の組み立てが完了する。
【００３４】
図２、図３は本発明の他の実施例を示すものであり、吸収体７の長さ、大きさを変更した構成の例である。このように吸収体７の大きさや長さは自在に変更することが出来、もってこれにより液状塗布材６の粘度や材質に違いがあっても、何ら問題なく前記吸収体７が液状塗布材６の予備タンクの機能を果たすことが出来るものとなる。
【００３５】
ところでプラグ１１の孔も多角形状にして隙間を設ければ、その隙間が空気の動入路となって、中継芯２１への液状塗布材の含浸をスムーズにすることが出来る。
【００３６】
また、第２吸収体１４の存在により、中継芯２１への液状塗布材６の含浸量を調整出来、もってこれにより液漏れや液切れを防止することが出来る。
【符号の説明】
【００３７】
１      塗布具
２      ボディ
３      キャップ
４      インナーキャップ
５      塗布部材
６      液状塗布材
７      吸収体
８      長孔
９      ノーズピース
１０    塗布用ブラシ
１１    プラグ
１２    貯留部
１４    第２吸収体
１７    尾栓
２０    開口
２１    中継芯
２２    塗布部材の後端部
２３    シュノーケル
２５    貫通空間
２５−１  シュノーケルの後端側における貫通空間
２５−２  シュノーケルの中間位置から先端側に位置する貫通空間
２６    膨出筒体
２７    係止突部
２８    クリアランス部  
【図１】
2018117668.tif 000003
【図２】
2018117668.tif 000004
【図３】
2018117668.tif 000005
【手続補正書】
【提出日】平成29年9月12日(2017.9.12)
【手続補正１】
【補正対象書類名】特許請求の範囲
【補正対象項目名】全文
【補正方法】変更
【補正の内容】
【特許請求の範囲】
【請求項１】
略円筒状をなすボディと、該ボディ内に収納され、ボディの長手方向一端から描画可能に構成された先端部を有する芯状をなす塗布部材と、前記ボディ内に設けられ、前記塗布部材に含浸する液状塗布材を貯留する貯留部と、前記ボディ内に収納された前記塗布部材後端側につき、貯留部側へ露出させて前記液状塗布材を塗布部材に含浸可能な構成とし、かつ前記塗布部材後端部を保持すると共に、液状塗布材を含浸出来るよう前記貯留部内に取り付けられた吸収体に接触状態としてなり、
前記塗布部材は、略筒状に形成され、内部の軸方向に貫通する貫通空間を有するシュノーケルの前記貫通空間を挿通し、該塗布部材の後端はシュノーケルより露出し、露出した後端部は、前記吸収体に設けられた長孔に嵌り込んで保持され、
シュノーケルの外周面とボディの内周面との間の空間は、液状塗布材の貯留部として構成され、
シュノーケルの先端側は、前記貫通空間より大きな孔を有した膨出筒体として構成され、該膨出筒体内にはプラグが嵌り込み、
前記プラグの端面には、第２吸収体の一方側端面が接し、第２吸収体の他方側端面はボディの係止突部に係止してボディ内に装着され、
前記塗布部材は、前記第２吸収体、プラグ及びシュノーケルを嵌挿してなり、
前記吸収体は、前記液状塗布材の粘性や材質に応じて前記含浸量が調節できるよう長さや大きさが変更できる、
ことを特徴とする塗布具。
【請求項２】
略円筒状をなすボディと、該ボディ内に収納され、ボディの長手方向一端から描画可能に構成された先端部を有する芯状をなす塗布部材と、前記ボディ内に設けられ、前記塗布部材に含浸する液状塗布材を貯留する貯留部と、前記ボディ内に収納された前記塗布部材後端側につき、貯留部側へ露出させて前記液状塗布材を塗布部材に含浸可能な構成とし、かつ前記塗布部材後端部を保持すると共に、液状塗布材を含浸出来るよう前記貯留部内に取り付けられた吸収体に接触状態としてなり、
前記塗布部材は、略筒状に形成され、内部の軸方向に貫通する貫通空間を有するシュノーケルの前記貫通空間を挿通し、該塗布部材の後端はシュノーケルより露出し、露出した後端部は、前記吸収体に設けられた長孔に嵌り込んで保持され、
シュノーケルの外周面とボディの内周面との間の空間は、液状塗布材の貯留部として構成され、
シュノーケルの先端側は、前記貫通空間より大きな孔を有した膨出筒体として構成され、該膨出筒体内にはプラグが嵌り込み、
前記プラグの端面には、第２吸収体の一方側端面が接し、第２吸収体の他方側端面はボディの係止突部に係止してボディ内に装着され、
前記塗布部材は、前記第２吸収体、プラグ及びシュノーケルを嵌挿してなり、
前記シュノーケルの後端側における貫通空間は、多角形状をなす貫通空間として構成され、塗布部材の外周面と前記貫通空間との間では隙間が生じ、該隙間から空気が導入できるよう構成され、
前記吸収体は、前記液状塗布材の粘性や材質に応じて前記含浸量が調節できるよう長さや大きさが変更できる、
ことを特徴とする塗布具。
【請求項３】
略円筒状をなすボディと、該ボディ内に収納され、ボディの長手方向一端から描画可能に構成された先端部を有する芯状をなす塗布部材と、前記ボディ内に設けられ、前記塗布部材に含浸する液状塗布材を貯留する貯留部と、前記ボディ内に収納された前記塗布部材後端側につき、貯留部側へ露出させて前記液状塗布材を塗布部材に含浸可能な構成とし、かつ前記塗布部材後端部を保持すると共に、液状塗布材を含浸出来るよう前記貯留部内に取り付けられた吸収体に接触状態としてなり、
前記塗布部材は、略筒状に形成され、内部の軸方向に貫通する貫通空間を有するシュノーケルの前記貫通空間を挿通し、該塗布部材の後端はシュノーケルより露出し、露出した後端部は、前記吸収体に設けられた長孔に嵌り込んで保持され、
シュノーケルの外周面とボディの内周面との間の空間は、液状塗布材の貯留部として構成され、
シュノーケルの先端側は、前記貫通空間より大きな孔を有した膨出筒体として構成され、該膨出筒体内にはプラグが嵌り込み、
前記プラグの端面には、第２吸収体の一方側端面が接し、第２吸収体の他方側端面はボディの係止突部に係止してボディ内に装着され、
前記塗布部材は、前記第２吸収体、プラグ及びシュノーケルを嵌挿してなり、
前記シュノーケルの後端側における貫通空間は、多角形状をなす貫通空間として構成され、塗布部材の外周面と前記貫通空間との間には隙間が生じ、該隙間から空気が導入できるよう構成され、
シュノーケルの中間部から先端側に位置する貫通空間の径は、塗布部材の径より大きく形成されて、シュノーケルの中間部から先端側に位置する貫通空間には空気が流入できる隙間が構成され、
前記吸収体は、前記液状塗布材の粘性や材質に応じて前記含浸量が調節できるよう長さや大きさが変更できる、
ことを特徴とする塗布具。
【請求項４】
略円筒状をなすボディと、該ボディ内に収納され、ボディの長手方向一端から描画可能に構成された先端部を有する芯状をなす塗布部材と、前記ボディ内に設けられ、前記塗布部材に含浸する液状塗布材を貯留する貯留部と、前記ボディ内に収納された前記塗布部材後端側につき、貯留部側へ露出させて前記液状塗布材を塗布部材に含浸可能な構成とし、かつ前記塗布部材後端部を保持すると共に、液状塗布材を含浸出来るよう前記貯留部内に取り付けられた吸収体に接触状態としてなり、
前記塗布部材は、略筒状に形成され、内部の軸方向に貫通する貫通空間を有するシュノーケルの前記貫通空間を挿通し、該塗布部材の後端はシュノーケルより露出し、露出した後端部は、前記吸収体に設けられた長孔に嵌り込んで保持され、
シュノーケルの外周面とボディの内周面との間の空間は、液状塗布材の貯留部として構成され、
シュノーケルの先端側は、前記貫通空間より大きな孔を有した膨出筒体として構成され、該膨出筒体内にはプラグが嵌り込み、
前記プラグの端面には、第２吸収体の一方側端面が接し、第２吸収体の他方側端面はボディの係止突部に係止してボディ内に装着され、
前記塗布部材は、前記第２吸収体、プラグ及びシュノーケルを嵌挿してなり、
前記シュノーケルの後端側における貫通空間は、多角形状をなす貫通空間として構成され、塗布部材の外周面と前記貫通空間との間には隙間が生じ、該隙間から空気が導入できるよう構成され、
シュノーケルの中間部から先端側に位置する貫通空間の径は、塗布部材の径より大きく形成されて、シュノーケルの中間部から先端側に位置する貫通空間には空気が流入できる隙間が構成され、
前記プラグに設けられた孔は、多角形状をなす孔として構成され、該孔を貫挿する塗布部材の外周面と前記孔との間には隙間が生じ、該隙間から空気が導入できるよう構成され、
前記吸収体は、前記液状塗布材の粘性や材質に応じて前記含浸量が調節できるよう長さや大きさが変更できる、
ことを特徴とする塗布具。
【請求項５】
前記芯状をなす塗布部材は、繊維部材で構成され、前記液状塗布材が毛細管現象により含浸できるよう構成された、
ことを特徴とする請求項１乃至請求項４記載の塗布具。
【請求項６】
前記塗布部材は、長尺の中継芯と該中継芯の先端に接続された塗布用ブラシとを有して構成された、
ことを特徴とする請求項１乃至請求項５記載の塗布具。
【手続補正２】
【補正対象書類名】明細書
【補正対象項目名】全文
【補正方法】変更
【補正の内容】
【発明の詳細な説明】
【技術分野】
【０００１】
本発明は、例えばアイライナーやアイブローのような化粧用具、あるいは頭髪や眉毛などの部分白髪染め具など内部に貯留した液状塗布材を塗布部に浸潤させ、これを先端塗布部より塗布あるいは描画して使用する塗布具に関するものである。
【背景技術】
【０００２】
従来、アイライナーなど内部に液状塗布材を貯留し、この液状塗布材を繊維部材などからなる芯材により構成された塗布部材に吸収、浸潤させ、該塗布部材の先端塗布部によって塗布あるいは描画する塗布具が一般に知られている。
【０００３】
これら塗布具については、内部に貯留されている液状塗布材のバルク出量調整をするため、通常、前記芯材を覆う吸収体が設けられており、この吸収体により、芯材に送出される液状塗布材の出量を調整するものとしていた。
【０００４】
ここで、吸収体は一般的に外周面を蛇腹状の凹凸面に形成した樹脂成形品によって作製されており、その設計には多くの調整が必要で、また高額な金型費用が必要とされていた。
また、内部に液状塗布材を貯留する貯留部の領域も確定していて、この領域を変更できる構成にはなっていなかった。
【０００５】
ところで、前記液状塗布材は、使用の用途や態様によって、その液状塗布材の粘性や材質が異なっており、また前記貯留部に貯留させる液状塗布材の貯留量も様々異なるものである。
【０００６】
よって、上記の様に、複数種類存在する液状塗布材に対応させ、しかもその貯留量の異なる場合も含めて、同じ形状で同じ大きさの構造をなす塗布具や内部の吸収体を使用することは困難なこととされていた。
【０００７】
すなわち、長さなどを変更した樹脂成形品からなる吸収体を別々に作製することは、高額な金型費用を必要とし、また、前記貯留量を変更するには塗布具の大きさそのものを変更しなければならないとの課題があるからである。
【０００８】
尚、バルク液の粘度は、バルク液の種類によって異なっており、粘度の異なったバルク液にあわせて、液漏れが起こらないようそれぞれ塗布具の形状を変更することはきわめてコスト高になり、到底容認されるものではなかった。
【０００９】
そこで前記バルクの粘度が異なる場合であっても、同じ規格の塗布具を用いることが出来、しかもそれぞれ液漏れが起こらないように構成された塗布具が要請されていた。
【００１０】
さらに、一般的な塗布具は、塗布具内に貯留されたバルク液が少なくなると、芯材に送出される液状塗布材の出量が保持できなくなる傾向にあった。なぜなら塗布具の使用状態はそれを平行にして使用するか或いは少し後端側を下げて使用することが多く、その様な使用状態であると、芯材への貯留部からのバルク液の含浸がうまく調整出来ないからである。
【先行技術文献】
【特許文献】
【００１１】
【特許文献１】特開平１１−４８６７８号公報
【特許文献２】特開２０１３−１０２９１０号公報
【特許文献３】特開２００４−３４４８５８号公報
【発明の概要】
【発明が解決しようとする課題】
【００１２】
かくして、本発明による塗布具は、前記従来の課題を解決するために創案されたものであって、内部に貯留させる液状塗布材、すなわちバルク液につき、その粘性や材質の異なるものが複数種類存在し、また前記貯留部に貯留させる液状塗布材の貯留量も様々異なるものであったとしても、この複数種類存在するバルク液に対応でき、しかもそのバルク液の粘度が異なる場合であっても、例えば大きさや形状など同じ規格の塗布具を用いることが出来、それぞれ液漏れが起こらないように構成し、さらには塗布具を平行にして使用するか或いは少し後端側を下げて使用した状態が長くなったとしても、芯材への貯留部からのバルク液の含浸が調整出来て、たとえバルク液の量が少なくなってきたとしても最後まで液切れしない塗布具を提供することを目的とするものである。
【課題を解決するための手段】
【００１３】
本発明による塗布具は、
略円筒状をなすボディと、該ボディ内に収納され、ボディの長手方向一端から描画可能に構成された先端部を有する芯状をなす塗布部材と、前記ボディ内に設けられ、前記塗布部材に含浸する液状塗布材を貯留する貯留部と、前記ボディ内に収納された前記塗布部材後端側につき、貯留部側へ露出させて前記液状塗布材を塗布部材に含浸可能な構成とし、かつ前記塗布部材後端部を保持すると共に、液状塗布材を含浸出来るよう前記貯留部内に取り付けられた吸収体に接触状態としてなり、
前記塗布部材は、略筒状に形成され、内部の軸方向に貫通する貫通空間を有するシュノーケルの前記貫通空間を挿通し、該塗布部材の後端はシュノーケルより露出し、露出した後端部は、前記吸収体に設けられた長孔に嵌り込んで保持され、
シュノーケルの外周面とボディの内周面との間の空間は、液状塗布材の貯留部として構成され、
シュノーケルの先端側は、前記貫通空間より大きな孔を有した膨出筒体として構成され、該膨出筒体内にはプラグが嵌り込み、
前記プラグの端面には、第２吸収体の一方側端面が接し、第２吸収体の他方側端面はボディの係止突部に係止してボディ内に装着され、
前記塗布部材は、前記第２吸収体、プラグ及びシュノーケルを嵌挿してなり、
前記吸収体は、前記液状塗布材の粘性や材質に応じて前記含浸量が調節できるよう長さや大きさが変更できる、
ことを特徴とし、
または、
略円筒状をなすボディと、該ボディ内に収納され、ボディの長手方向一端から描画可能に構成された先端部を有する芯状をなす塗布部材と、前記ボディ内に設けられ、前記塗布部材に含浸する液状塗布材を貯留する貯留部と、前記ボディ内に収納された前記塗布部材後端側につき、貯留部側へ露出させて前記液状塗布材を塗布部材に含浸可能な構成とし、かつ前記塗布部材後端部を保持すると共に、液状塗布材を含浸出来るよう前記貯留部内に取り付けられた吸収体に接触状態としてなり、
前記塗布部材は、略筒状に形成され、内部の軸方向に貫通する貫通空間を有するシュノーケルの前記貫通空間を挿通し、該塗布部材の後端はシュノーケルより露出し、露出した後端部は、前記吸収体に設けられた長孔に嵌り込んで保持され、
シュノーケルの外周面とボディの内周面との間の空間は、液状塗布材の貯留部として構成され、
シュノーケルの先端側は、前記貫通空間より大きな孔を有した膨出筒体として構成され、該膨出筒体内にはプラグが嵌り込み、
前記プラグの端面には、第２吸収体の一方側端面が接し、第２吸収体の他方側端面はボディの係止突部に係止してボディ内に装着され、
前記塗布部材は、前記第２吸収体、プラグ及びシュノーケルを嵌挿してなり、
前記シュノーケルの後端側における貫通空間は、多角形状をなす貫通空間として構成され、塗布部材の外周面と前記貫通空間との間では隙間が生じ、該隙間から空気が導入できるよう構成され、
前記吸収体は、前記液状塗布材の粘性や材質に応じて前記含浸量が調節できるよう長さや大きさが変更できる、
ことを特徴とし、
または、
略円筒状をなすボディと、該ボディ内に収納され、ボディの長手方向一端から描画可能に構成された先端部を有する芯状をなす塗布部材と、前記ボディ内に設けられ、前記塗布部材に含浸する液状塗布材を貯留する貯留部と、前記ボディ内に収納された前記塗布部材後端側につき、貯留部側へ露出させて前記液状塗布材を塗布部材に含浸可能な構成とし、かつ前記塗布部材後端部を保持すると共に、液状塗布材を含浸出来るよう前記貯留部内に取り付けられた吸収体に接触状態としてなり、
前記塗布部材は、略筒状に形成され、内部の軸方向に貫通する貫通空間を有するシュノーケルの前記貫通空間を挿通し、該塗布部材の後端はシュノーケルより露出し、露出した後端部は、前記吸収体に設けられた長孔に嵌り込んで保持され、
シュノーケルの外周面とボディの内周面との間の空間は、液状塗布材の貯留部として構成され、
シュノーケルの先端側は、前記貫通空間より大きな孔を有した膨出筒体として構成され、該膨出筒体内にはプラグが嵌り込み、
前記プラグの端面には、第２吸収体の一方側端面が接し、第２吸収体の他方側端面はボディの係止突部に係止してボディ内に装着され、
前記塗布部材は、前記第２吸収体、プラグ及びシュノーケルを嵌挿してなり、
前記シュノーケルの後端側における貫通空間は、多角形状をなす貫通空間として構成され、塗布部材の外周面と前記貫通空間との間には隙間が生じ、該隙間から空気が導入できるよう構成され、
シュノーケルの中間部から先端側に位置する貫通空間の径は、塗布部材の径より大きく形成されて、シュノーケルの中間部から先端側に位置する貫通空間には空気が流入できる隙間が構成され、
前記吸収体は、前記液状塗布材の粘性や材質に応じて前記含浸量が調節できるよう長さや大きさが変更できる、
ことを特徴とし、
または、
略円筒状をなすボディと、該ボディ内に収納され、ボディの長手方向一端から描画可能に構成された先端部を有する芯状をなす塗布部材と、前記ボディ内に設けられ、前記塗布部材に含浸する液状塗布材を貯留する貯留部と、前記ボディ内に収納された前記塗布部材後端側につき、貯留部側へ露出させて前記液状塗布材を塗布部材に含浸可能な構成とし、かつ前記塗布部材後端部を保持すると共に、液状塗布材を含浸出来るよう前記貯留部内に取り付けられた吸収体に接触状態としてなり、
前記塗布部材は、略筒状に形成され、内部の軸方向に貫通する貫通空間を有するシュノーケルの前記貫通空間を挿通し、該塗布部材の後端はシュノーケルより露出し、露出した後端部は、前記吸収体に設けられた長孔に嵌り込んで保持され、
シュノーケルの外周面とボディの内周面との間の空間は、液状塗布材の貯留部として構成され、
シュノーケルの先端側は、前記貫通空間より大きな孔を有した膨出筒体として構成され、該膨出筒体内にはプラグが嵌り込み、
前記プラグの端面には、第２吸収体の一方側端面が接し、第２吸収体の他方側端面はボディの係止突部に係止してボディ内に装着され、
前記塗布部材は、前記第２吸収体、プラグ及びシュノーケルを嵌挿してなり、
前記シュノーケルの後端側における貫通空間は、多角形状をなす貫通空間として構成され、塗布部材の外周面と前記貫通空間との間には隙間が生じ、該隙間から空気が導入できるよう構成され、
シュノーケルの中間部から先端側に位置する貫通空間の径は、塗布部材の径より大きく形成されて、シュノーケルの中間部から先端側に位置する貫通空間には空気が流入できる隙間が構成され、
前記プラグに設けられた孔は、多角形状をなす孔として構成され、該孔を貫挿する塗布部材の外周面と前記孔との間には隙間が生じ、該隙間から空気が導入できるよう構成され、
前記吸収体は、前記液状塗布材の粘性や材質に応じて前記含浸量が調節できるよう長さや大きさが変更できる、
ことを特徴とし、
または、
前記芯状をなす塗布部材は、繊維部材で構成され、前記液状塗布材が毛細管現象により含浸できるよう構成された、
ことを特徴とし、
または、
前記塗布部材は、長尺の中継芯と該中継芯の先端に接続された塗布用ブラシとを有して構成された、
ことを特徴とするのである。
【発明の効果】
【００１４】
本発明による塗布具であれば、内部に貯留させる液状塗布材につき、その粘性や材質の異なるものが複数種類存在し、また前記貯留部に貯留させる液状塗布材の貯留量も様々異なるものであったとしても、この複数種類存在する液状塗布材に対応でき、しかもそのバルク液の粘度が異なる場合であっても、例えば大きさや形状につき同じ規格の塗布具を用いることが出来、それぞれ液漏れが起こらないよう構成し、さらには塗布具を平行にして使用するか或いは少し後端側を下げて使用した状態が長くなったとしても、芯材への貯留部からのバルク液の含浸が調整出来て、たとえバルク液の量が少なくなってきたとしても最後まで液切れしない塗布具を提供できるとの優れた効果を奏する。
【図面の簡単な説明】
【００１５】
【図１】本発明による塗布具の構成を説明する説明図（１）である。
【図２】他の実施例による塗布具の構成を説明する説明図（１）である。
【図３】他の実施例による塗布具の構成を説明する説明図（２）である。
【発明を実施するための形態】
【００１６】
以下、本発明を図に示す実施例に基づいて説明する。
【００１７】
図１は、本発明による塗布具１の構成を示す構成説明図である。本発明による塗布具１は、略円筒状をなすボディ２を有している。このボディ２の長さは一応規格で定められてあり、内部に貯留されている液状塗布材６の粘性や材質が異なっていても、同じ長さのボディ２で各種類の塗布具１を構成できる。そのため複数種類の塗布具１を形成してもそのボディ２につき同じものを使用できて最終的に製造コストを安価に出来る。
そして、当該ボディ２の先端には、キャップ３及びインナーキャップ４が装着される。
【００１８】
ここで、ボディ２内には、芯状をなす長尺の塗布部材５が保持されており、図から理解されるように、当該塗布部材５は、中継芯２１と該中継芯２１の先端に被嵌され、描画に使用される塗布用ブラシ１０とを有して構成される。
【００１９】
しかして、中継芯２１および塗布用ブラシ１０は、通常繊維部材で構成され、後述する液状塗布材６が毛細管現象などによって徐々に含浸できるように構成されている。
【００２０】
符号７は、吸収体を示す。図から理解出来る様に、当該吸収体７は、外周面に何らの凹凸形状も施さない円柱状に構成され、その軸方向中心部には、表面に設けられた開口２０から軸方向奥側に向かって設けられた長孔８が形成されている。
【００２１】
そして、この長孔８に前記塗布部材５の後端部２２が嵌まり込んで、塗布部材５と吸収体７とが接触出来るように構成され、両者が接続された状態となっている。
【００２２】
従来この吸収体７は、外周が蛇腹状の凹凸面として構成された樹脂成形品で作製されていたが、前記したように、前記樹脂成形品の金型費用が高額であり、そのため複数種類の形態をなす異なった吸収体７を作製すると塗布具自体のコストが高価となってしまうとの課題があった。
【００２３】
しかして、本発明の吸収体７は、例えば、内部に連続気泡を有するフォーム材などの含浸力を有する柔軟部材で構成されており、その大きさや長さを簡単に切断することにより形状が容易に変更することもできる。
【００２４】
符号９はノーズピースであり、前記芯状をなす塗布部材５の先端側を保持して、ボディ２の先端部に固着している。尚、前記塗布部材５の先端側には前述したように塗布ブラシ１０が中継芯２１に被嵌した状態で接続されて取り付けられており、該塗布用ブラシ１０により含浸した液状塗布材６を使って、描画あるいは塗布するように構成されている。このように塗布部材５を中継芯２１と塗布用ブラシ１０との別体部品を連結して構成しても構わないし、中継芯２１と塗布用ブラシ１０とを一体的に形成した塗布部材５でも構わない。
【００２５】
次に符号２３はシュノーケルを示す。該シュノーケル２３は、長尺の略筒状に形成されており、内部の軸方向に貫通する貫通空間２５に前述した中継芯２１が挿通出来るよう構成されている。
【００２６】
そして、図から理解されるように、中継芯２１の後端はシュノーケル２３より露出し、その後端部２２が、前述したように吸収体７の長孔８に嵌り込んで保持されている。
【００２７】
また、シュノーケル２３の外周面とボディ２の内周面との間の空間は、液状塗布材６の貯留部１２として構成されている。
ここで、シュノーケル２３の先端側は、前記貫通空間２５の形より大きな孔を有した膨出筒体２６として構成され、この膨出筒体２６内にはプラグ１１が嵌り込んでいる。
【００２８】
尚、符号１４はいわゆる第２吸収体とも称することが出来、中継芯２１が貫通する貫通孔を有すると共に、その一方側端面はプラグ１１の端面に接し、他方側端面はボディ2の係止突部２７に係止してボディ２内に装着されている。
【００２９】
ところで、前記シュノーケル２３の後端側における貫通空間２５−１は、中継芯２１の円柱状外周面にすべて接する円筒状には構成されておらず、例えば、６角形状或いは８角形状などの多角形状をなす貫通空間２５として構成され、中継芯２１の外周面と前記貫通空間２５とは例えば６点或いは８点で接するが、他の外周面位置では隙間が生じ、その隙間から液状塗布材６が中継芯２１の外周面から含浸できるよう構成されている。また、該隙間から空気が導入できるようになっていて、液状塗布材６が中継芯２１へスムーズに含浸出来るよう、即ち毛細管現象がスムーズに行えるよう構成されている。
【００３０】
すなわち、シュノーケル２３の中間部から先端側に位置する貫通空間２５−２の径は、中継芯２１の径より大きく形成されており、よってシュノーケル２３の中間部から先端側に位置する貫通空間２５−２には前記液状塗布材６が流入でき、かつ空気が流入できる隙間、すなわちクリアランス部２８として構成できるのである。
【００３１】
ところで、前述した吸収体７は、例えば尾栓１７の後端側に取り付けられており、当該尾栓１７はボディ２の後方開口からボディ２内に差し込まれて、前記吸収体７の長孔８に中継芯２１が嵌り込み、吸収体７と中継芯２１とが接触して接続するようになっており、また吸収体７は前記液状塗布材６が貯留される貯留部１２内に配置されることとなるので、該吸収体７には絶えず液状塗布材６が含浸される状態となる。そして、この吸収体７は常時中継芯２１に接触しているから、含浸した液状塗布材６を毛細管現象によって中継芯２１側へ供給出来るようになっているのである。したがって、貯留部１２内の液状塗布材６の量が少なくなり、塗布具１を平行にして使用するような状態が長くなって、貯留部１２の液状塗布材６が前記貯留部材１２に露出してある中継芯２１に届かなくなった場合でも、あらかじめ液状塗布材６を含浸した吸収体７から液状塗布材６が供給出来、もって塗布用ブラシ１０において液切れ状態を引き起こすことがないのである。その意味からすると前記吸収体７は液状塗布材６の予備タンクの役目を果たしていると言える。
【００３２】
ここで、本発明による塗布具の組み立てにつき説明すると、例えば、先端側に第２吸収体１４が取り付けられ、この第２吸収体１４の隣にプラグ１１が嵌着されたシュノーケル２３が被嵌された中継芯２１がボディ２の後方から差し込まれる。次いで、吸収体７を取り付けた尾栓１７をボディ２の後方から差し込んで、前記中継芯２１を所定の位置に装着させると共に、中継芯２１と吸収体７とを接触、接続させて尾栓１７を装着する。尚、前記尾栓１７を装着する前に、あらかじめ貯留部１２には液状塗布材６を充填しておく必要がある。
【００３３】
さらに、ボディ２の先端側から、中継芯２１の先端側にノーズピース９が装着された塗布用ブラシ１０を連結させる。そして、ボディ２の先端側にインナーキャップ４およびキャップ３を取り付け、これにより塗布具１の組み立てが完了する。
【００３４】
図２、図３は本発明の他の実施例を示すものであり、吸収体７の長さ、大きさを変更した構成の例である。このように吸収体７の大きさや長さは自在に変更することが出来、もってこれにより液状塗布材６の粘度や材質に違いがあっても、何ら問題なく前記吸収体７が液状塗布材６の予備タンクの機能を果たすことが出来るものとなる。
【００３５】
ところでプラグ１１の孔も多角形状にして隙間を設ければ、その隙間が空気の動入路となって、中継芯２１への液状塗布材の含浸をスムーズにすることが出来る。
【００３６】
また、第２吸収体１４の存在により、中継芯２１への液状塗布材６の含浸量を調整出来、もってこれにより液漏れや液切れを防止することが出来る。
【符号の説明】
【００３７】
１      塗布具
２      ボディ
３      キャップ
４      インナーキャップ
５      塗布部材
６      液状塗布材
７      吸収体
８      長孔
９      ノーズピース
１０    塗布用ブラシ
１１    プラグ
１２    貯留部
１４    第２吸収体
１７    尾栓
２０    開口
２１    中継芯
２２    塗布部材の後端部
２３    シュノーケル
２５    貫通空間
２５−１  シュノーケルの後端側における貫通空間
２５−２  シュノーケルの中間位置から先端側に位置する貫通空間
２６    膨出筒体
２７    係止突部
２８    クリアランス部